(57)【要約】      （修正有）【課題】後から搬送されてきた紙幣を順次、先に収納積層されている紙幣の後方に積層され、搬送障害を回避することができ、特別な構造を採る必要もない紙幣処理装置を提供する。【解決手段】紙幣取り込機構１により、紙幣搬送側筐体に取り込まれた紙幣を方向転換して搬送する巻き込み搬送機構２と、紙幣を水平搬送機構に送り込む紙送り機構３と、紙幣を収納待機部まで搬送する水平搬送機構４と、前記各機構に巻架された巻き込みベルト２４とを備えるとともに、前記紙送り機構と巻き込みベルトの接触面と前記水平搬送機構の水平ベルト４３の前面との紙幣押出方向での間隔に対して、スタッカー６の紙幣押出面を、その間隔の略中間に配置することにより、前記紙送り機構から送りされた紙幣がスタッカーの紙幣押出面の延長面上を交差して、前記水平搬送機構の水平ベルト上に送り込むようにしたものである。【選択図】  図３
2008125697.tif 000002
【特許請求の範囲】
【請求項１】
紙幣搬送装置により起立状態で搬送された紙幣を取り込む為の紙幣取り込機構と、前記紙幣取り込機構を介して取り込まれた紙幣を収納待機部まで搬送する紙幣搬送手段と、前記収納待機部に待機されている紙幣を紙幣収納部に押し出すスタッカーと、前記紙幣取り込機構と紙幣搬送手段とスタッカーを収納するとともに、前記収納待機部を画成した紙幣搬送側筐体と、前記前記スタッカーにより押し出された紙幣を積層収納する紙幣収納部を画成した収納部側筐体と、前記紙幣搬送側筐体と収納部側筐体とを連通接続する開口枠を有する紙幣処理装置であって、
前記紙幣搬送手段は、前記紙幣取り込機構により、紙幣搬送側筐体に取り込まれた紙幣を方向転換して搬送する巻き込み搬送機構と、前記巻き込み搬送機構により方向転換された紙幣を水平搬送機構に送り込む紙送り機構と、紙送り機構から送られた紙幣を収納待機部まで搬送する水平搬送機構と、前記巻き込み搬送機構と送り込む紙送り機構ならびに水平搬送機構に巻架された巻き込みベルトとを備えるとともに、前記スタッカーの紙幣押出面を、前記紙送り機構と巻き込みベルトの接触面と前記水平搬送機構の水平ベルトの前面との紙幣押出方向での間隔に対して、その略中間に配置することにより、前記紙送り機構から送りされた紙幣をスタッカーの紙幣押出面の延長面上を交差して、前記水平搬送機構の水平ベルト上に送り込むことを特徴とする紙幣処理装置。
【発明の詳細な説明】
【技術分野】
【０００１】
本発明は、起立状態で搬送された紙幣をその状態で収納する紙幣処理装置、特に、パチンコ玉貸機、メタル貸機などの遊技媒体貸機に内設された紙幣識別装置、又は、それらの遊技媒体貸機に近設された紙幣搬送装置に取り付けられた紙幣識別装置などに起立状態で投入された紙幣を起立状態のまま紙幣収納部に積層収納する紙幣処理装置に関する。
【背景技術】
【０００２】
パチンコ機、スロットマシンなどの遊技機を設置して、遊技者に遊技を提供する遊技店では、隣設する遊技機間に遊技媒体貸機を配設して、それらを複数並設して遊技機島を構築することが一般的である。そして、この遊技機島には、遊技者が、投入した紙幣を識別する複数の紙幣識別装置と、識別された紙幣を搬送する紙幣搬送装置と、搬送された紙幣を収納する紙幣処理装置が配設されている。そして、前述の紙幣識別装置は、概ね、遊技媒体貸機に内設されたり、あるいは紙幣搬送装置に取り付けられたりしている。このため、複数の遊技者が同時、あるいは短時間に紙幣を各々の紙幣識別装置に投入する場合がある。この場合に、紙幣搬送装置や紙幣識別装置に、複数の紙幣が送り込まれて、紙幣が紙幣搬送装置内部で重なったり、近接したりたりした場合に、紙幣の搬送を阻害しないような工夫が成されている。例えば、一台の紙幣識別装置に紙幣が投入された時に、その紙幣識別装置から紙幣搬送装置へ送り込まれる位置の近くに、紙幣搬送装置によって他の紙幣が搬送されて来ていると、一旦、紙幣識別装置から紙幣搬送装置への搬送が中断され、他の紙幣が通過した後に、その搬送が再開されるように構成されている。一方、紙幣処理装置側に於いても、何らかの事情で紙幣搬送装置から紙幣が連続して送り込まれて来た場合に、後から送り込まれた紙幣が、先の紙幣に衝突して、その搬送進路が阻害され、紙幣処理装置内で紙幣詰まりが発生したりしないようにした構成が採られている。
【０００３】
たとえば、特許第３２７８３１８号公報では、起立して搬送されてきた紙幣類を紙幣類移送部と紙幣類後端回避機構の動作によって紙幣類待機部に導き、紙幣類待機部に一時待機させた後に、待機した紙幣類を出入自在の紙幣類押出部の押出動作により押出て、紙幣類収納部に順次起立積層状態で収納させる構成を具備した紙幣類収納装置が開示されている。そして、この先行技術には、待機した紙幣類の後端に、後から搬送されてきた紙幣類が衝突して、紙幣類が詰まらないような構成が紙幣類後端回避機構に設けられている。この紙幣類後端回避機構に設けられた構成は、前記の紙幣類移送部に連接して設けられた回避軸と前記回避軸の上下端２ヶ所に設けられた回避ローラから成り、前記回避ローラには外周面に複数のＵ字型湾曲形状の案内部が形成され、前記紙幣類待機部内に一時待機させた紙幣類を長手方向の姿勢状態で維持させると共に、前記回避ローラが搬送方向と同方向に回動することにより待機した紙幣類の後端のみを前記Ｕ字型湾曲形状の案内部と面接触させて湾曲姿勢と成し、次位の紙幣類を挿入案内し、順次起立積層していくというものである。
【０００４】
しかしながら、このような従来技術では、紙幣類後端回避機構５（呼称と符号は、先行技術の明細書中の記載を用いた）を、搬送ガイドローラ４２と押さえプーリ２４ａ、２４ｂの間で、かつ、紙幣類待機部２０で待機した紙幣類Ｓの後端が当接する位置に設けている。ところが、一般的に、遊技者が投入する紙幣の上下端縁が、必ずしも、紙幣類搬送装置７０に対して、搬送方向に沿って水平に投入されるものではなく、傾斜状態で投入されたりする場合が多い。しかも、投入される紙幣類も新しい状態のものばかりではなく、皺があったり、損傷したりしたものも多く見受けられる。更に、搬送ガイドローラ４２や押さえプーリ２４ａ、２４ｂならびに紙幣類後端回避機構５は、常に回動しているものである。しかし、搬送される紙幣類が一定の間隔で紙幣処理装置内に搬送されてくるとは限らない。これらの事情を鑑みると、紙幣類Ｓの後端が紙幣類待機部２０の内部で、常に紙幣類後端回避機構５に当接するように紙幣類を待機させて置くのは実際上困難であった。
【０００５】
このため、後から搬送されてきた紙幣類が、紙幣類待機部２０の内部に待機している紙幣類の端部に衝突し、紙幣類待機部２０の内部に起立積層状態に整列されず、目詰まりを生ずる恐れがあった。しかも、紙幣類後端回避機構５には、紙幣類待機部２０の内部に待機している紙幣類の端部を持ち上げるための新規な構造（Ｕ字型湾曲形状の案内部）を採る必要があり、構成が複雑でコストアップの要因にもなっている。
【０００６】
この出願の発明に関連する先行技術文献としては次のものがある。
【特許文献１】特許第３２７８３１８号公報
【発明の開示】
【発明が解決しようとする課題】
【０００７】
本発明は、上記の従来の技術が有する問題を解決するためになされたものであり、その目的は、後から搬送されてきた紙幣が先に収納待機部に収納積層されている紙幣の端部に衝突することなく、順次、先に収納積層されている紙幣の後方に積層され、紙幣の目詰まりによる搬送障害を回避することができ、しかも、そのために、特別な構造を採る必要もない紙幣処理装置を提供するものである。
【課題を解決するための手段】
【０００８】
上記課題を解決するため、本発明においては、紙幣搬送装置により起立状態で搬送された紙幣を取り込む為の紙幣取り込機構と、前記紙幣取り込機構を介して取り込まれた紙幣を収納待機部まで搬送する紙幣搬送手段と、前記収納待機部に待機されている紙幣を紙幣収納部に押し出すスタッカーと、前記紙幣取り込機構と紙幣搬送手段とスタッカーを収納するとともに、前記収納待機部を画成した紙幣搬送側筐体と、前記前記スタッカーにより押し出された紙幣を積層収納する紙幣収納部を画成した収納部側筐体と、前記紙幣搬送側筐体と収納部側筐体とを連通接続する開口枠を有する紙幣処理装置であって、前記紙幣搬送手段は、前記紙幣取り込機構により、紙幣搬送側筐体に取り込まれた紙幣を方向転換して搬送する巻き込み搬送機構と、前記巻き込み搬送機構により方向転換された紙幣を水平搬送機構に送り込む紙送り機構と、紙送り機構から送られた紙幣を収納待機部まで搬送する水平搬送機構と、前記巻き込み搬送機構と送り込む紙送り機構ならびに水平搬送機構に巻架された巻き込みベルトとを備えるとともに、前記スタッカーの紙幣押出面を、前記紙送り機構と巻き込みベルトの接触面と前記水平搬送機構の水平ベルトの前面との紙幣押出方向での間隔に対して、その略中間に配置することにより、前記紙送り機構から送りされた紙幣をスタッカーの紙幣押出面の延長面上を交差して、前記水平搬送機構の水平ベルト上に送り込むものである。
【０００９】
上記のように構成することにより、紙幣取り込機構から取り込まれ、巻き込み搬送機構によって方向転換された紙幣は、前述の巻き込み搬送機構と水平搬送機構との間で、前記紙送り機構により前記スタッカーの紙幣押出面の延長面上を挟んで後方に押圧され、かつ、水平搬送機構により同延長面上より前方に押圧されている。このため、紙幣には、常時、前方方向への応力が加わっている。従って、紙幣が水平搬送機構により水平ベルトの回転方向に搬送され、その結果、紙幣の後端部が前記紙送り機構から離間すると、紙幣は、前述の応力により速やかに開口枠方向に移動する。この移動によって、紙幣と水平ベルトとの間に隙間が形成され、その隙間に後から搬送されてきた紙幣が入り込み、順次、収納待機部内に積層されている紙幣の後方に積層される。このために、後から搬送されてきた紙幣が収納待機部内に積層されている紙幣の後端に衝突して、紙幣が詰まり、搬送障害を起すようなこともなく、しかも、搬送手段に特別な構成を施すこともない簡単な構成で安価な紙幣処理装置を得ることができる。
【発明の効果】
【００１０】
以上のように、本発明によれば、紙幣搬送装置により起立状態で搬送された紙幣を取り込む為の紙幣取り込機構と、前記紙幣取り込機構を介して取り込まれた紙幣を収納待機部まで搬送する紙幣搬送手段と、前記収納待機部に待機されている紙幣を紙幣収納部に押し出すスタッカーと、前記紙幣取り込機構と紙幣搬送手段とスタッカーを収納するとともに、前記収納待機部を画成した紙幣搬送側筐体と、前記前記スタッカーにより押し出された紙幣を積層収納する紙幣収納部を画成した収納部側筐体と、前記紙幣搬送側筐体と収納部側筐体とを連通接続する開口枠を有する紙幣処理装置であって、前記紙幣搬送手段は、前記紙幣取り込機構により、紙幣搬送側筐体に取り込まれた紙幣を方向転換して搬送する巻き込み搬送機構と、前記巻き込み搬送機構により方向転換された紙幣を水平搬送機構に送り込む紙送り機構と、紙送り機構から送られた紙幣を収納待機部まで搬送する水平搬送機構と、前記巻き込み搬送機構と送り込む紙送り機構ならびに水平搬送機構に巻架された巻き込みベルトとを備えるとともに、前記スタッカーの紙幣押出面を、前記紙送り機構と巻き込みベルトの接触面と前記水平搬送機構の水平ベルトの前面との紙幣押出方向での間隔に対して、その略中間に配置することにより、前記紙送り機構から送りされた紙幣をスタッカーの紙幣押出面の延長面上を交差して、前記水平搬送機構の水平ベルト上に送り込むことによって、後から搬送されてきた紙幣が先に収納待機部に収納積層されている紙幣の端部に衝突することなく、順次、先に収納積層されている紙幣の後方に積層され、紙幣の目詰まりによる搬送障害を回避することができ、しかも、特別な構造を採る必要もない紙幣処理装置を提供するものである。
【発明を実施するための最良の形態】
【００１１】
以下、本発明を実施するための最良の形態を、図面に基づいて説明する。図１は、本発明の紙幣処理装置の正面図、図２は、本発明の上面図、図３は、要部拡大説明図、図４は、本発明の紙幣処理装置の取付け状態を示した概略説明図である。
【００１２】
本発明の紙幣処理装置１００は、図４に示すように、遊技機島９の端部に配設されている。この遊技機島９は、複数の遊技機９１と、この遊技機９１に並設された遊技媒体貸機９２と、それらの遊技機９１，９１と遊技媒体貸機９２の上方に架設されている紙幣搬送装置９３とで構成されている。そして、紙幣Ｍは、遊技媒体貸機９２に内設された、あるいは紙幣搬送装置９３に配設されている紙幣識別装置９４（または、ビルバリなど）から起立状態で投入されてから紙幣搬送装置９３で搬送され、遊技機島９の端部に配設された本発明の紙幣処理装置１００の内部に積層収納される。また、この紙幣処理装置１００は、一般的には、遊技機島の端部に配設されたカバー９５の内部に収納されている。
【００１３】
この紙幣処理装置１００は、大きくは、２個の筐体、即ち、紙幣搬送側筐体Ａと収納部側筐体Ｂならびに各々の筐体に配設された手段、機構類および紙幣搬送側筐体Ａと収納部側筐体Ｂの接続部に形成された開口枠５とで構成されている。
【００１４】
紙幣搬送側筐体Ａは、全体として左右方向に横長の矩形の箱形状に構成されている。（尚、前後、左右とは、図２の紙面に対して、上方向を後方、下方向を前方、左右は、紙面に向かってそれぞれ左、右とする。また、上下とは、図１に向かってそれぞれ上、下とする。）そして、この紙幣搬送側筐体Ａの内部には、紙幣取り込機構１と紙幣搬送手段である巻き込み搬送機構２と紙送り機構３ならびに水平搬送機構４およびスタッカー６が配設されている。更に、水平搬送機構４と紙幣搬送側筐体Ａと収納部側筐体Ｂとの接続部には、開口枠５が設けられている。そして、水平搬送機構４と開口枠５との間には、収納待機部７が画成されている。
【００１５】
以下、各構成部分について詳述する。紙幣取り込機構１は、紙幣搬送側筐体Ａの後部左側部分に配設されていて、紙幣の取入口１１と、紙幣Ｍを引き込むための引き込みローラ１２と、この引き込みローラ１２を固着した枢支軸１３と、紙幣の取入口１１から起立した状態で搬送された紙幣Ｍを引き込みガイドするところの、紙幣取込みガイド１４ならびに紙幣ガイド１５とで構成されている。また、この紙幣ガイド１５には、前述の引き込みローラ１２と対向する位置にガイドローラ１６が配設されている。尚、紙幣の取入口１１は、起立して搬送されてきた紙幣を取り込めるように縦長に開口している。
【００１６】
また、紙幣搬送手段は、巻き込み搬送機構２と紙送り機構３ならびに水平搬送機構４とで構成されている。前述の巻き込み搬送機構２は、紙幣搬送装置９から起立した状態で紙幣の取入口１１に引き込まれた紙幣Ｍを水平搬送機構４と平行な方向に変換させてから水平搬送機構４に送り込むもので、駆動伝達軸２１と該駆動伝達軸２１の下端に駆動モータ（図示しない）にベルトで連結されたモータプーリ２２を固着するとともに、駆動伝達軸２１の中間に駆動伝達プーリ２３を固着している。
【００１７】
紙送り機構３は、紙幣送り軸３１と、該紙幣送り軸３１の中央に固着された紙送りローラ３２と、該紙幣送り軸３１の上下両端部に固着された紙送りガイドローラ３３とを備えている。
【００１８】
水平搬送機構４は、紙送り機構３側に設けられた駆動側軸４１と、駆動側軸４１に対して紙幣の搬送方向に離間して設けられた従動側軸４２と、駆動側軸４１と従動側軸４２の間に巻架された水平ベルト４３より構成されている。そして、前述の駆動側軸４１には、上下の両端に駆動側軸プーリ４１ａが固着され、中央に駆動ベルトプーリ４１ｂが取り付けられている。一方、従動側軸４２の上下両端にも、従動側軸プーリ４２ａが固着されている。そして、これらの駆動側軸４１と従動側軸４２とは、開口枠５に対して、後方に離間するとともに該開口枠５の両側端と対向する位置に配設されている。また、前述の水平ベルト４３は、各駆動側軸４１と従動側軸４２の上下端部に固着されている駆動側軸プーリ４１ａと従動側軸プーリ４２ａに上下各１本、合計２本巻架されている。この上下に巻架された水平ベルト４３の間を後述するスタッカー６のスタッカープレート６１が出入する。
【００１９】
これらの各軸、即ち、紙幣取り込機構１の枢支軸１３、巻き込み搬送機構２の駆動伝達軸２１、紙送り機構３の紙幣送り軸３１ならびに水平搬送機構４の駆動側軸４１と従動側軸４２はいずれも紙幣搬送側筐体Ａの上下の壁板に回転可能に軸止されている。この内、枢支軸１３と駆動伝達軸２１ならびに駆動側軸４１は、取入口１１の近傍に軸止されている枢支軸１３を頂点とする三角形の各頂点に配設されている。そして、各軸に固着されている引き込みローラ１２、駆動伝達プーリ２３ならびに駆動ベルトプーリ４１ｂの間に巻き込みベルト２４が巻架されている。
【００２０】
紙送り機構３は、枢支軸１３を頂点とする三角形の各頂点に配設されているところの駆動伝達軸２１と駆動側軸４１との中間近傍に配設されていて、常時、引き込みローラ１２、駆動伝達プーリ２３ならびに駆動ベルトプーリ４１ｂに巻架されている巻き込みベルト２４の内、駆動伝達プーリ２３ならびに駆動ベルトプーリ４１ｂの間の部分を、この紙送り機構３の紙送りローラ３２で後方（取入口１１方向）に押し込むように配設されている。
【００２１】
収納待機部７は、水平搬送機構４と、紙幣搬送側筐体Ａと収納部側筐体Ｂとの接続部に形成された開口枠５との間に画成されている。この収納待機部７を画成している水平搬送機構４と開口枠５との間隔は、紙幣が一定数重なることができる程度、例えば、１０〜２０枚程度待機できる間隔に設定されている。なぜなら、紙幣が連続して搬送されたり、重なって搬送されたりしたときにはスタッカーを作動させると不具合を起す恐れがあるので、
次の紙幣Ｍと間隔ができたときにスタッカー６を作動させることができるように、一旦、紙幣Ｍを収納待機部７の内部に収納するものである。紙幣Ｍの搬送時間、間隔とスタッカー６の作動間隔が対応したときにスタッカー６を作動させて、収納されている紙幣を一括して紙幣収納部８に押し込む。
【００２２】
また、この収納待機部７の先端側（水平搬送機構４の従動側軸４２側）端部には、ストッパーガイド７１が取り付けられている。このストッパーガイド７１は、水平搬送機構４で搬送されてきた紙幣Ｍが従動側軸４２に連れ周りしないように従動側軸４２の上下端に固着されている従動側軸プーリ４２ａ間の軸部をカバーしている。また、ストッパーガイド７１は、搬送されてきた紙幣Ｍを開口枠５方向に導く働きしている。
【００２３】
開口枠５は、前述したように、紙幣搬送側筐体Ａと収納部側筐体Ｂとの接続部に形成され、スターカー６のスタッカープレート６１が出入できるような開口を画成している。紙幣Ｍは、この開口を形成している開口枠５の上下の縁に形成された上部支持片５１と下部支持片５２に接触して収納待機部７の内部、あるいは、紙幣収納部８の内部に支持される。
【００２４】
スタッカー６は、紙幣Ｍを紙幣収納部７に押し込むためのスタッカープレート６１と、該スタッカープレート６１を出入可能に操作するリンク機構６２と、リンク機構６２を駆動するモータ６３と、スタッカープレート６１とリンク機構６２とを接続する接続プレート６４とを備えている。そして、このスタッカープレート６１は、紙幣押圧部６１ａと紙送り機構３側の搬入ガイド６１ｂと従動側軸４２側の端末ガイド６１ｃで構成されている。また、搬入ガイド６１ｂには、駆動ベルトプーリ４１ｂを配設するための空間６１ｄが形成されている。
【００２５】
次に、図３を参照して、本発明の要旨である紙幣詰まり防止機能について説明する。即ち、巻き込み搬送機構２と、紙送り機構３ならびに水平搬送機構４の駆動側軸４１と、スタッカー６のスタッカープレート６１の前面（特に、断りの無い限り、スタッカー６が閉じた状態における紙幣押圧部６１ａの前面ならびにその延長線上の面を指す）との位置関係について説明する。
【００２６】
まず、水平搬送機構４の駆動側軸４１と従動側軸４２との間に巻架されている水平ベルト４３は、スタッカープレート６１よりＬ分前面（紙幣収納部８側）に位置している。従って、理論的には、水平搬送機構４で搬送される紙幣Ｍは、直接スタッカープレート６１とは、接触しないが、実際は、紙幣Ｍの紙折れ、皺などで必ずしも接触しないとは言えない。
【００２７】
次に、駆動側軸４１に固着されている駆動ベルトプーリ４１ｂに巻架されている巻き込みベルト２４と同軸上で固着されている駆動側軸プーリ４１ａに巻架されている水平ベルト４３との位置関係について説明する。駆動ベルトプーリ４１ｂに巻架されている巻き込みベルト２４は、駆動ベルトプーリ４１ｂに形成された溝（図示しない）に表面が露出しないように巻架されている。これは、紙幣Ｍが水平ベルト４３に移行するときに巻き込みベルト２４から容易に離れるようにするためである。いわゆる紙離れを良くする。従って、実際は、駆動ベルトプーリ４１ｂの外周と水平ベルト４３との位置関係となるが、これも水平ベルト４３の方が前面（紙幣収納部８側）に位置するように配置されている。
【００２８】
これらのことから、駆動側軸４１の位置も、巻き込み搬送機構２の駆動伝達軸２１に対して前面（紙幣収納部８側）に位置している。
【００２９】
紙送り機構３は、巻き込み搬送機構２の駆動伝達プーリ２３と紙送り機構３の紙送りローラ３２および水平搬送機構４の駆動ベルトプーリ４１ｂに巻架されている巻き込みベルト２４に対して、前述の駆動伝達プーリ２３と駆動ベルトプーリ４１ｂとの中間で、かつ、巻き込みベルト２４を挟んで前述の各軸と反対側に配設されている。更に、紙送りローラ３２によって、巻き込みベルト２４が後方（各軸に巻架されている巻き込みベルト２４の内側）に撓むように配設されている。この撓み量は、スタッカープレート６１より巻き込みベルト２４の外周が後方（各軸に巻架されている巻き込みベルト２４の内側）になる位置に配設する。
【００３０】
上記したような駆動伝達プーリ２３と駆動ベルトプーリ４１ｂならびに紙送りローラ３２の関係によれば、紙幣取り込機構１から取り込まれた紙幣Ｍは、駆動伝達プーリ２３で水平搬送機構４の紙幣搬送方向に方向変換されて、紙送りローラ３２に送り込まれる。例えば、紙幣ＭがＭ１〜Ｍ２へ搬送された状態で説明する。紙幣Ｍ１の状況は、紙幣Ｍが駆動伝達プーリ２３から送りだされ紙送りローラ３２を経由して駆動側軸プーリ４１ａに巻架されている水平ベルト４３に接触するまでを示している。この状況では、紙幣Ｍ１は、紙幣ガイド１５と駆動伝達プーリ２３との間に巻き込まれ、駆動伝達プーリ２３の前面から紙幣ガイド１５の平行面に沿って紙送りローラ３２方向に搬送される。そこで、紙幣Ｍ１の先端が紙送りローラ３２ならびに同軸の紙送りガイドローラ３３に衝突し、後方（巻き込みベルト２４方向）に巻き上げられて、巻き込みベルト２４の外周と紙送りローラ３２ならびに同軸の紙送りガイドローラ３３との間に挟持されるまでを示している。
【００３１】
紙幣Ｍを挟持している巻き込みベルト２４の外周と、紙送りローラ３２ならびに同軸の紙送りガイドローラ３３との接触面（ポイントＰ１）は、スタッカープレート６１の前面より後方に位置している。そして、このポイントＰ１で挟持された紙幣Ｍ１は、巻き込みベルト２４の回転に伴って、搬送され水平ベルト４３に衝突する。この衝突により、紙幣Ｍ１の搬送は、紙送りローラ３２ならびに同軸の紙送りガイドローラ３３の押出力と水平ベルト４３の引張力の協業で収納待機部７方向に送り出される。この状態では、紙幣Ｍ１の中程がポイントＰ１で常時、挟持されているため、紙幣Ｍ１の先端側には、巻き込みベルト２４を押圧しようとする力Ｆ１が作用している。
【００３２】
更に、紙幣Ｍ１が搬送されるとやがて紙幣Ｍ１の先端がスタッカープレート６１の前面の延長面ＰＬを鋭角に交差して開口枠５の上部支持片５１と下部支持片５２に衝突（ポイントＰ２）する。そして、開口枠５の上部支持片５１と下部支持片５２の表面を滑りながら収納待機部７の中を先に進む。この状態では、紙幣Ｍ１の先端は、若干後方へ湾曲している。このとき、紙幣Ｍ１には、水平ベルト４３の前方への押圧力Ｆ２とポイントＰ２を支点とする前方への応力Ｆ３が加わっている。
【００３３】
さらに、紙幣Ｍ１の搬送が進んで紙幣Ｍ２の状態、即ち、紙幣Ｍ１が挟持されているポイントＰ１を離脱したときには、巻き込みベルト２４を押圧する力Ｆ１が解除され、水平ベルト４３の前方への押圧力Ｆ２とポイントＰ２を支点とする前方への応力Ｆ３が加わることになる。このとき、紙幣Ｍ２自体が真っすぐになろうとする力も加わり、これらの応力の作用で紙幣Ｍは、挟持されているポイントＰ１を離脱すると、直ちに開口枠５の表面方向に移動して、開口枠５の上部支持片５１と下部支持片５２に接触して支持されるので、紙幣Ｍ２と水平ベルト４３との間に隙間が形成される。従って、後方から搬送されてくる紙幣Ｍは、この隙間から収納待機部７の待機されている紙幣の後側に積層されるので、紙幣Ｍが、前の紙幣Ｍの後端に衝突して紙幣Ｍが詰まるようなことが無い。
【００３４】
次に、収納部側筐体Ｂ側の構成について図１〜図２を参照して説明する。この収納部側筐体Ｂは、大別して、機構収納部筐体Ｂ１と収納部筐体Ｂ２より構成され、機構収納部筐体Ｂ１の上面後部に、前述した紙幣搬送側筐体Ａを載置するとともにその前方に収納部筐体Ｂ２を載置している。即ち、収納部筐体Ｂ２は、この収納部筐体Ｂ２に形成されている開口を、紙幣搬送側筐体Ａの横長の矩形箱形状をなしている前部の一部分（長手方向３／４ほど）を後方側に落とし込んで形成した収納部側筐体Ｂとの接続部（開口枠５）に一致させるようにして配置されている。
【００３５】
機構収納部筐体Ｂ１は、略矩形状の箱状に形成されている。そして、前述したように、上面後部に紙幣搬送側筐体Ａを載置するとともに該紙幣搬送側筐体Ａの前方に収納部筐体Ｂ２を載置している。そして、この機構収納部筐体Ｂ１の内部に、紙幣収納部８に収納された紙幣の収納量を調節するための収納量調整機構８１と、紙幣搬送側筐体Ａに配設された紙幣取り込機構１などを駆動するためのモータ（図示しない）などが配設されている。
【００３６】
収納量調整機構８１は、紙幣収納部８の内部を前後に可動する可動支持片８１ａと、この可動支持片８１ａを固着支持するスライダー８１ｂと、このスライダー８１ｂを摺動可能に軸止する一対の摺動竿８１ｃと、前述した可動支持片８１ａを常に後方に付勢している渦巻ばね（ぜんまい）８１ｄと、紙幣収納部８に収納された紙幣の量（満杯）を検出するセンサ８１ｅとを備えている。
【００３７】
可動支持片８１ａは、紙幣収納部８の内部に配置された本体部分８１ｆと取付部８１ｇとより構成されている。この取付部８１ｇは、機構収納部筐体Ｂ１と収納部筐体Ｂ２との載置部分に前後方向に形成された長溝８２から機構収納部筐体Ｂ１の内部に突出され、機構収納部筐体Ｂ１内のスライダー８１ｂに固着されている。また、スライダー８１ｂは、機構収納部筐体Ｂ１の前後に軸止されている摺動竿８１ｃに摺動可能に取り付けられている。更に、可動支持片８１ａの取付部８１ｇは、機構収納部筐体Ｂ１内で前述したスタッカー６のリンク機構６２の下方に配設された渦巻ばね（ぜんまい）８１ｄと連結されていて、可動支持片８１ａと可動支持片８１ａを支持しているスライダー８１ｂを常に後方に付勢している。尚、センサ８１ｅは、摺動竿８１ｃの先端側の側方に配設され、スライダー８１ｂがその位置に到達したとき作動する。このときが紙幣収納部７に収納された紙幣が収納量の限界に達したときである。
【００３８】
一方、巻き込み搬送機構２に設けられた紙幣送り軸２２の近傍には、紙幣Ｍの通過を確認するセンサ２５が配設されている。このセンサ２５は、紙幣Ｍが紙幣送り軸３１を通過したか否かを確認するもので、紙幣Ｍの枚数、機構の作動状態などを検出した結果を外部に知らせる装置である。そして、通過後一定時間経過した時にスタッカー６を作動させるように設定してある。
【００３９】
次に、本発明の紙幣処理装置１００内に取り込まれた紙幣Ｍの流れについて説明する。まず、紙幣搬送装置９が作動すると、機構収納部筐体Ｂ１に配設されている駆動機構（図示しない）が作動して巻き込み搬送機構２のモータプーリ２２を回転させる。この回転に伴って、駆動伝達軸２１に固着されている駆動伝達プーリ２３を回転させる。この回転に伴って、巻き込みベルト２４が回転して、紙送りローラ３２ならびに紙送りガイドローラ３３、駆動ベルトプーリ４１ｂならびに駆動側軸プーリ４１ａ、引き込みローラ１２を回転させる。同時に、駆動側軸プーリ４１ａと水平ベルト４３で連結されている従動側軸プーリ４２ａも回転する。
【００４０】
これらの機構部品の回転よって、紙幣搬送装置９で搬送され、紙幣取り込機構１の紙幣取入口１１から取り込まれた紙幣Ｍは、まず、紙幣取り込ガイド１４上を滑降して、巻き込みベルト２４に接蝕しながらガイドローラ１６と巻き込みベルト２４の間に取り込まれる。取り込まれた紙幣Ｍは、紙幣ガイド１５と巻き込みベルト２４とに挟持されながら紙幣送り軸３１方向に搬送される。そして、段落番号００３０から００３３に説明したようにして、収納待機部７に収納される。
【００４１】
このとき、収納待機部７に収納される紙幣Ｍが、適当な間隔で搬送されてくる状態では、センサ２５の信号によって、スタッカー６がその都度作動し、紙幣Ｍを紙幣収納部８の内部に積層収納する。
【００４２】
また、紙幣Ｍが連続して搬送されてきた場合、重なって搬送されてきた場合などで、収納待機部７の内部に複数枚、積層待機された紙幣Ｍは、センサ２５で紙幣Ｍが連続して搬送されてこない状態、即ち、スタッカー６が作動しても無理が生じない状態になると、センサ２５で検出された信号をリンク機構６２側に送信して、リンク機構６２を作動させ、スタッカー６を前方に押出して収納待機部７の内部に複数枚積層待機されている紙幣Mを紙幣収納部８に押し込む。
【００４３】
紙幣収納部８内の押し込まれた紙幣Ｍは、収納量調整機構８１の可動支持片８１ａと、開口枠５との間に挟持される。この動作を繰り返すことによって、紙幣Ｍが順次、可動支持片８１ａと開口枠５のとの間に積層されていく。このとき、可動支持片８１ａを付勢しているばねが渦巻ばね（ぜんまい）８１ｄで構成されているため紙幣Ｍの積層量が増加しても付勢力に変化が生じないので、紙幣Ｍが満杯となり店員が取り出す場合には容易に取り出すことができる。また、紙幣Mが満杯になったときには、センサ８１ｅでその状態を検出し、次に搬送されてくる紙幣Mを収納待機部７の内部に待機させる。この待機される紙幣は、概ね１０〜２０枚程度である。
【図面の簡単な説明】
【００４４】
【図１】本発明の紙幣処理装置を示した正面図である。
【図２】本発明の紙幣処理装置を示した上面図である。
【図３】本発明の要部を示した説明図である。
【図４】本発明の紙幣処理装置の取付け状態を示した概略説明図である。
【符号の説明】
【００４５】
１００  紙幣処理装置
１  紙幣取り込機構
１１  取入口
１２  引き込みローラ
１３  枢支軸
１４  紙幣取込みガイド（引き込みローラ側）
１５  紙幣ガイド
１６  ガイドローラ
（紙幣搬送手段）
２  巻き込み搬送機構
２１  駆動伝達軸
２２  モータプーリ
２３  駆動伝達プーリ
２４  巻き込みベルト
２５  センサ
３  紙送り機構
３１  紙幣送り軸
３２  紙送りローラ
３３  紙送りガイドローラ
４  水平搬送機構
４１  駆動側軸
４１ａ  駆動側軸プーリ
４１ｂ  駆動ベルトプーリ
４２  従動側軸
４２ａ  従動側軸プーリ
４３  水平ベルト
５  開口枠
５１  上部支持片
５２  下部支持片
６  スタッカー
６１  スタッカープレート
６１ａ  紙幣押圧部
６１ｂ  搬入ガイド
６１ｃ  端末ガイド
６１ｄ  空間
６２  リンク機構
６３  モータ
６４  接続プレート
７  収納待機部
７１  ストッパーガイド
８  紙幣収納部
８１  収納量調整機構
８１ａ  可動支持片
８１ｂ  スライダー
８１ｃ  摺動竿
８１ｄ  渦巻ばね（ぜんまい）
８１ｅ  センサ
８１ｆ  本体部分
８１ｇ  取付部
８２  長溝
９  遊技機島
９１  遊技機
９２  遊技媒体貸機
９３  紙幣搬送装置
９４  紙幣識別装置
９５  カバー
Ａ  紙幣搬送側筐体
Ｂ  収納部側筐体
Ｂ１  機構収納部筐体
Ｂ２  収納部筐体
Ｐ１  （接触面）ポイント
Ｐ２  （紙幣が開口枠に衝突した）ポイント
Ｆ１  水平ベルト４３を押圧する力
Ｆ２  水平ベルト４３の前方への押圧力
Ｆ３  ポイントＰ２を支点とする前方への応力
Ｍ（Ｍ１、Ｍ２）  紙幣
Ｌ  スタッカープレートから水平ベルトが突出している量
ＰＬ  スタッカープレートの紙幣押圧部前面とその延長面
【図１】
2008125697.tif 000003
【図２】
2008125697.tif 000004
【図３】
2008125697.tif 000005
【図４】
2008125697.tif 000006